(57)【要約】【課題】レセプタクルコネクタの取付強度を確保しつつ、レセプタクルコネクタに対して規格で定められる挿入位置にまで挿入可能なコネクタ（プラグコネクタ）を提供する。【解決手段】ボディ部１１と、内部にコンタクトが露出する嵌合部とを備え、嵌合部をレセプタクルコネクタ３０の受容空間に受容させることで、コンタクトが相手方コンタクトに当接されるプラグコネクタ１０であって、レセプタクルコネクタ３０は、挿入間口の周縁にレセプタクルコネクタ３０を取付パネル６０に取り付けるための取付用縁部３２を備えて構成されるとともに、取付用縁部３２と取付パネル６０とに取付スクリュウ７０を挿通させることで取付パネル６０に取り付けられており、ボディ部１１は、取付パネル６０の後側に突出する頭部７１と前後方向に対向する部分に、頭部７１を受容可能な受容凹部１４が形成されている。【選択図】図３
0003169822.tif 000002
【実用新案登録請求の範囲】
【請求項１】
ボディ部と、前記ボディ部に突出して設けられ内部にコンタクトが露出する嵌合部とを備え、前記嵌合部を相手方コネクタの挿入間口に挿入するとともに前記挿入間口の背後側に延びる受容空間に受容させることで、前記コンタクトが前記受容空間内に露出する相手方コンタクトに当接されるように構成されたコネクタであって、
前記嵌合部は、絶縁性材料により形成され前記コンタクトを保持するハウジングと、前記ハウジングの前記挿入方向側端部を開放させた状態で前記ハウジングを囲むシールド部材とから構成され、
前記シールド部材が、前記受容空間を形成する相手方シールド部材に嵌合して前記受容空間に受容され、
前記相手方コネクタは、前記挿入間口の周縁に前記相手方コネクタを取付対象部材に取り付けるための取付用縁部を備えて構成されるとともに、前記取付用縁部と前記取付対象部材とに取付部材を挿通させることで前記取付対象部材に取り付けられており、
前記取付部材は、前記取付用縁部と前記取付対象部材とに挿通されて前記取付対象部材の手前側に突出しており、
前記ボディ部は、前記取付部材における前記取付対象部材の手前側に突出する手前側突出部と挿入方向に対向する部分に、前記手前側突出部を受容可能な受容凹部が形成されていることを特徴とするコネクタ。
【請求項２】
前記ボディ部における前記相手方コネクタと前記挿入方向に対向する部分以外の部分に、前記ボディ部の把持を容易にするための把持用凹凸部が形成されていることを特徴とする請求項１に記載のコネクタ。
【請求項３】
前記ボディ部が略直方体に形成されており、
前記ボディ部における前記嵌合部が突出して設けられた部分に対向する部分に、前記コンタクトと電気的に接続されたケーブルを引き出すためのケーブル引出端部が形成されていることを特徴とする請求項１または２に記載のコネクタ。
【請求項４】
前記ボディ部が略直方体に形成されており、
前記ボディ部における前記嵌合部が突出して設けられた部分に略直交する部分に、前記コンタクトと電気的に接続されたケーブルを引き出すためのケーブル引出端部が形成されていることを特徴とする請求項１または２に記載のコネクタ。
【請求項５】
前記ボディ部における前記ケーブル引出端部が形成された部分に対向する部分に、切り欠き部が形成されていることを特徴とする請求項４に記載のコネクタ。
【請求項６】
前記ボディ部が略直方体に形成されており、
前記ボディ部における前記嵌合部が突出して設けられた部分に対向する部分が、前記挿入方向に対して斜めに延びて形成されるとともにその先端部分に前記コンタクトと電気的に接続されたケーブルを引き出すためのケーブル引出端部が形成されていることを特徴とする請求項１または２に記載のコネクタ。
【考案の詳細な説明】
【技術分野】
【０００１】
本考案は、各種情報を伝達するためのコネクタに関し、さらに詳細には、情報伝達のためのインターフェイス規格に準じたコネクタに関する。
【背景技術】
【０００２】
このようなインターフェイス規格の１つとして、１つのケーブルで映像、音声および制御信号の送受信が可能なＨＤＭＩ（High Definition Multimedia Interface）（登録商標）規格が近年開発され、デジタル家電やオーディオ・ビジュアル（ＡＶ）機器等に適用されている。例えばデジタル家電相互間におけるＨＤＭＩ（登録商標）による情報伝達は、各々のデジタル家電にＨＤＭＩ（登録商標）規格に準じたレセプタクルコネクタを外部に露出させて設けておき、ケーブルの両端部にＨＤＭＩ（登録商標）規格に準じたプラグコネクタを備えて構成されるケーブル付きコネクタにより、レセプタクルコネクタ同士を電気的に接続することで可能になる。（例えば、特許文献１を参照）。最近においては、機器同士を電気的に接続する場合のみならず、単一の機器の内部においてケーブル付きコネクタを用いることで、機器内部の装置間において相互に情報伝達が可能に構成されたものも存在する。
【先行技術文献】
【特許文献】
【０００３】
【特許文献１】特開２００７−５９３５１号公報
【考案の概要】
【考案が解決しようとする課題】
【０００４】
ところで、機器の内部に設けられるレセプタクルコネクタは、例えば回路基板に取り付けられた状態で平板状の取付パネルに固定され、プラグコネクタが挿入される受容空間が露出された状態に保持される。ここで、例えば取付スクリュウを用いて、受容空間になるべく近い部分を取付パネルに固定することで、取付パネルに対するレセプタクルコネクタの取付強度が増し、レセプタクルコネクタにプラグコネクタを挿抜させる際のコジリにも耐え得るようになる。一方でこのように、受容空間になるべく近い部分を取付パネルに固定する構成とすると、レセプタクルコネクタにプラグコネクタが挿入される際に、取付スクリュウにおけるプラグコネクタ側に突出した部分とプラグコネクタとが干渉し、ＨＤＭＩ（登録商標）の規格で定められる挿入位置にまでプラグコネクタを挿入することが困難になるという課題があった。
【０００５】
本考案は、上記のような課題に鑑みてなされたものであり、レセプタクルコネクタの取付強度を確保しつつ、レセプタクルコネクタに対して規格で定められる挿入位置にまで挿入可能なコネクタ（プラグコネクタ）を提供することを目的とする。
【課題を解決するための手段】
【０００６】
上記目的を達成するため、本考案に係るコネクタ（例えば、実施形態におけるプラグコネクタ１０）は、ボディ部と、前記ボディ部に突出して設けられ内部にコンタクトが露出する嵌合部とを備え、前記嵌合部を相手方コネクタ（例えば、実施形態におけるレセプタクルコネクタ３０）の挿入間口に挿入するとともに前記挿入間口の背後側に延びる受容空間に受容させることで、前記コンタクトが前記受容空間内に露出する相手方コンタクト（例えば、実施形態におけるコンタクト４２）に当接されるように構成されたコネクタであって、前記嵌合部は、絶縁性材料により形成され前記コンタクトを保持するハウジングと、前記ハウジングの前記挿入方向側端部を開放させた状態で前記ハウジングを囲むシールド部材とから構成され、前記シールド部材が、前記受容空間を形成する相手方シールド部材（例えば、実施形態におけるシールド部材３１）に嵌合して前記受容空間に受容され、前記相手方コネクタは、前記挿入間口の周縁に前記相手方コネクタを取付対象部材（例えば、実施形態における取付パネル６０）に取り付けるための取付用縁部を備えて構成されるとともに、前記取付用縁部と前記取付対象部材とに取付部材（例えば、実施形態における取付スクリュウ７０）を挿通させることで前記取付対象部材に取り付けられており、前記取付部材は、前記取付用縁部と前記取付対象部材とに挿通されて前記取付対象部材の手前側に突出しており、前記ボディ部は、前記取付部材における前記取付対象部材の手前側に突出する手前側突出部（例えば、実施形態における頭部７１）と挿入方向に対向する部分に、前記手前側突出部を受容可能な受容凹部が形成されていることを特徴とする。
【０００７】
上述のコネクタにおいて、前記ボディ部における前記相手方コネクタと前記挿入方向に対向する部分以外の部分に、前記ボディ部の把持を容易にするための把持用凹凸部が形成されていることが好ましい。
【０００８】
上述のコネクタにおいて、前記ボディ部が略直方体に形成されており、前記ボディ部における前記嵌合部が突出して設けられた部分に対向する部分に、前記コンタクトと電気的に接続されたケーブルを引き出すためのケーブル引出端部が形成されていることが好ましい。
【０００９】
また、上述のコネクタにおいて、前記ボディ部が略直方体に形成されており、前記ボディ部における前記嵌合部が突出して設けられた部分に略直交する部分に、前記コンタクトと電気的に接続されたケーブルを引き出すためのケーブル引出端部が形成されている構成も好ましい。
【００１０】
なお、前記ボディ部における前記ケーブル引出端部が形成された部分に対向する部分に、切り欠き部が形成されていることが好ましい。
【００１１】
さらに、上述のコネクタにおいて、前記ボディ部が略直方体に形成されており、前記ボディ部における前記嵌合部が突出して設けられた部分に対向する部分が、前記挿入方向に対して斜めに延びて形成されるとともにその先端部分に前記コンタクトと電気的に接続されたケーブルを引き出すためのケーブル引出端部が形成されている構成も好ましい。
【考案の効果】
【００１２】
本考案に係るコネクタでは、ボディ部における取付部材の手前側突出部と挿入方向に対向する部分に、手前側突出部を受容可能な受容凹部が形成されている。そのため、受容空間になるべく近い部分を取付パネルに固定することで、取付パネルに対するレセプタクルコネクタの取付強度を確保しつつ、受容凹部によりボディ部と手前側突出部との干渉を防止することでレセプタクルコネクタに対して規格で定められる挿入位置にまでコネクタ（プラグコネクタ）を挿入可能となる。
【００１３】
上述のコネクタにおいて、ボディ部の把持を容易にするための把持用凹凸部が形成されていることが好ましい。このように構成すると、レセプタクルコネクタに対してプラグコネクタを挿抜させる際にボディ部を把持しやすくなるので、例えば機器内の狭い領域においてプラグコネクタを挿抜させる場合であっても、確実に挿抜させることができる。
【００１４】
上述のコネクタにおいて、ボディ部における嵌合部が突出して設けられた部分に対向する部分に、ケーブルを引き出すためのケーブル引出端部が形成されていることが好ましい。この構成の場合には、挿入方向に対して直交する方向にボディ部を小型化することができ、例えば機器内の狭い領域においてもＨＤＭＩ（登録商標）による情報伝達が可能となる。
【００１５】
上述のコネクタにおいて、ボディ部における嵌合部が突出して設けられた部分に略直交する部分に、ケーブルを引き出すためのケーブル引出端部が形成されている構成も好ましい。このように構成した場合、ボディ部を挿入方向に小型化することができるので、例えば挿入方向のスペースが限られた機器内においてもＨＤＭＩ（登録商標）による情報伝達が可能となる。
【００１６】
なお、ボディ部におけるケーブル引出端部が形成された部分に対向する部分に、切り欠き部が形成されていることが好ましい。この構成の場合、ボディ部を挿入方向に小型化した上で、さらに挿入方向に直交する方向にも小型化できるので、例えば挿入方向およびこれに直交する方向のスペースが限られた機器内においてもＨＤＭＩ（登録商標）による情報伝達が可能となる。
【００１７】
上述のコネクタにおいて、ボディ部における嵌合部が突出して設けられた部分に対向する部分が、挿入方向に対して斜めに延びて形成され、その先端部分にケーブル引出端部が形成された構成も好ましい。このように構成した場合には、例えば真っ直ぐ後方の部分にスペースを確保することが難しいが、斜め後方であればスペースの確保が可能な機器内において、ＨＤＭＩ（登録商標）による情報伝達が可能となる。
【図面の簡単な説明】
【００１８】
【図１】本考案を適用した一実施形態としてのケーブル付きコネクタの斜視図である。
【図２】上記ケーブル付きコネクタの斜視図である。
【図３】図１中のＩＩＩ−ＩＩＩ部分を示す断面図である。
【図４】（ａ）〜（ｃ）のそれぞれは、別の実施形態に係るケーブル付きコネクタの平面図である。
【考案を実施するための形態】
【００１９】
以下、本考案の実施形態について、図面を参照しながら説明する。まず、本考案を適用した一実施形態としてのケーブル付きコネクタ１の構成について、図１〜図３を参照しながら説明する。なお、説明の便宜上、各図に付記する矢印方向を前後、左右および上下と称して以下の説明を行う。
【００２０】
ケーブル付きコネクタ１は、図１に示すように、プラグコネクタ１０と、このプラグコネクタ１０から延びる情報伝達ケーブル１６とから構成される。プラグコネクタ１０は、絶縁性樹脂材料を用いて略直方体に形成されたボディ部１１と、このボディ部１１の前面において前方に突出して設けられた嵌合部２０と、絶縁性樹脂材料により形成されてボディ部１１の後面において後方に突出するケーブル引出端部１５とを備えて構成される。ケーブル付きコネクタ１は、図示しない情報伝達ケーブル１６の他端側端部にも同様にプラグコネクタ１０が設けられている。図１に示すように、情報伝達ケーブル１６の両端部において、プラグコネクタ１０の嵌合部２０がレセプタクルコネクタ３０の受容空間３１ａに前後に挿入されて嵌合されることで、機器内部で装置同士が電気的に接続される。
【００２１】
ボディ部１１は、その前面（レセプタクルコネクタ３０の受容空間３１ａに嵌合部２０を嵌合させる際に、レセプタクルコネクタ３０と対向する面）における嵌合部２０の左右両側に、後方に向けて凹んだ受容凹部１４が形成されている（図２参照）。また、ボディ部１１は、その左右側面に左右に突出する把持用凹凸部１２、およびその上下面に上下に突出する把持用凹凸部１３を備えている（図１および図３参照）。把持用凹凸部１２および把持用凹凸部１３を形成することによって、ボディ部１１を把持する際に掴みやすくなる。
【００２２】
嵌合部２０は、図２に示すように、板状の金属材料を折曲して形成されたシールド部材２１と、絶縁性樹脂材料を用いて形成されるとともにシールド部材２１により囲まれて前端部が開放されたハウジング２２と、このハウジング２２に保持されてハウジング２２の内部に前後に延びて形成された嵌合空間２２ａ内に露出する複数のコンタクト２３とから構成される。
【００２３】
ケーブル引出端部１５は、図１に示すように、切り欠きを有した略円柱状に形成されて左右および上下に弾性変形可能に形成されている。そのため、例えばケーブル引出端部１５の中心部を通る情報伝達ケーブル１６に左右または上下に外力が作用した場合、ケーブル引出端部１５によって過度の力が情報伝達ケーブル１６（情報伝達ケーブル１６とボディ部１１との付け根部分）に作用することが防止される。情報伝達ケーブル１６は、嵌合部２０内のコンタクト２３と電気的に接続されるとともに、情報伝達ケーブル１６の他端側端部に設けられたプラグコネクタ１０のコンタクト２３と電気的に接続されている。
【００２４】
以上ここまでは、ケーブル付きコネクタ１の構成について説明した。以下においては、このケーブル付きコネクタ１のプラグコネクタ１０（嵌合部２０）と嵌合されるレセプタクルコネクタ３０について、図１を参照しながら説明する。
【００２５】
レセプタクルコネクタ３０は、板状の金属材料を折曲して形成されて嵌合部２０が前後に挿入されて受容可能な受容空間３１ａを備えるシールド部材３１と、絶縁性樹脂材料を用いて形成されて受容空間３１ａ内に配置されたハウジング４１と、このハウジング４１に保持されて受容空間３１ａ内に露出する複数のコンタクト４２とから構成される。シールド部材３１には、受容空間３１ａの前端間口から左右側方に折曲された取付用縁部３２が形成されており、この取付用縁部３２には前後に貫通するスクリュウ孔３２ａが形成されている。このレセプタクルコネクタ３０は、回路基板５０の表面に形成された回路パターン（図示せず）とコンタクト４２とが電気的に接続された状態で、回路基板５０に固定されている。
【００２６】
このように、回路基板５０に固定されたレセプタクルコネクタ３０は、頭部７１と軸部７２とからなる取付スクリュウ７０を用いて、平板状の取付パネル６０に取り付けられることで、取付パネル６０に前後に開口した挿入開口部（図示せず）を介して受容空間３１ａが露出された状態となる。具体的には、図３に示すように、取付パネル６０の前面に取付用縁部３２を押し当てた状態で、取付パネル６０のスクリュウ孔（図示せず）および取付用縁部３２のスクリュウ孔３２ａに、後方から前方に向けて取付スクリュウ７０を挿入し、軸部７２をスクリュウ孔３２ａに締結することで、レセプタクルコネクタ３０が取付パネル６０に取り付けられる。
【００２７】
ここで、レセプタクルコネクタ３０においては、取付用縁部３２において、なるべく受容空間３１ａの挿入間口に近い位置にスクリュウ孔３２ａが形成されている。これにより、取付パネル６０に対するレセプタクルコネクタ３０の取付強度を向上させることができるので、例えばレセプタクルコネクタ３０にプラグコネクタ１０を挿抜させる際にこじられたとしても、取付パネル６０からレセプタクルコネクタ３０が外れることがない。また、他の部品の配置スペースとの関係から、レセプタクルコネクタ３０の配置スペースを十分に確保することが難しいという問題が生じる場合があるが、上記のように、なるべく受容空間３１ａの挿入間口に近い位置にスクリュウ孔３２ａを形成することで、レセプタクルコネクタ３０を左右方向に小型化することができ、この問題に対処できる。さらには、受容空間３１ａの挿入間口に近い位置にスクリュウ孔３２ａが形成されたレセプタクルコネクタ３０が標準部品として存在しており、この標準部品のレセプタクルコネクタ３０を採用して搭載することで、機器自体の製造コストを抑えることも可能なる。
【００２８】
以上のような理由から、受容空間３１ａの挿入間口に近い位置にスクリュウ孔３２ａが形成されたレセプタクルコネクタ３０を搭載して機器が構成されるのであるが、このスクリュウ孔３２ａに取付スクリュウ７０の軸部７２を締結すると、受容空間３１ａの左右縁部において取付パネル６０の後面側に取付スクリュウ７０の頭部７１が突出した状態となる。そのため、この状態でレセプタクルコネクタ３０の受容空間３１ａにプラグコネクタ１０の嵌合部２０を挿入した場合、取付スクリュウ７０の頭部７１とプラグコネクタ１０のボディ部１１とが干渉し、ＨＤＭＩ（登録商標）の規格で定められる挿入位置（図３に示す規定寸法値Ａとなる位置）にまでプラグコネクタ１０を挿入することが困難になる虞がある。
【００２９】
そこで、本考案を適用したケーブル付きコネクタ１においては、上述したように、プラグコネクタ１０を構成するボディ部１１の前面に、取付スクリュウ７０の頭部７１を受容可能な受容凹部１４を設けることで、取付パネル６０に対するレセプタクルコネクタ３０の取付強度を維持しつつ、取付パネル６０の後面側に突出する取付スクリュウ７０の頭部７１とボディ部１１との干渉を防止して、規定寸法値Ａとなる位置にまでプラグコネクタ１０を挿入可能となり、ＨＤＭＩ（登録商標）のインターフェイス規格を満たすことができる。
【００３０】
上述の実施形態においては、ボディ部１１の後面にケーブル引出端部１５が形成されたプラグコネクタ１０を例示して説明したが、本考案はこの構成のプラグコネクタに限定して適用されるものではない。例えば図４（ａ）に示すように、ボディ部１１１と、ボディ部１１１の前面に設けられて前方に突出する嵌合部１２０と、ボディ部１１１の左右側面に設けられて左右に突出するケーブル引出端部１１５とを備えて構成されるプラグコネクタ１１０に、本考案の特徴構成である受容凹部１１４を設けた構成も可能である。このように、ボディ部１１１の左右側面にケーブル引出端部１１５を設けることで、例えば前後方向にスペースを確保しにくい機器内部においても、ＨＤＭＩ（登録商標）規格による接続が可能になる。
【００３１】
また、図４（ｂ）に示すように、ボディ部２１１と、ボディ部２１１の前面に設けられて前方に突出する嵌合部２２０と、ボディ部２１１の左右側面に設けられて左右に突出するケーブル引出端部２１５とから構成され、ボディ部２１１におけるケーブル引出端部２１５が設けられた左右側面に対向する左右側面に、斜めに切り欠かれた切り欠き部２１１ａを備えたプラグコネクタ２１０に対して、本考案の特徴構成である受容凹部２１４を設けた構成も可能である。このように、ボディ部２１１の左右側面にケーブル引出端部２１５を設けた上で切り欠き部２１１ａを形成することで、ボディ部２１１を左右方向に小型化がすることができるので、例えば前後および左右にスペースを確保しにくい機器内部においても、ＨＤＭＩ（登録商標）規格による接続が可能になる。
【００３２】
さらには、図４（ｃ）に示すように、ボディ部３１１と、ボディ部３１１の前面に設けられて前方に突出する嵌合部３２０と、ボディ部３１１の後面から斜め後方に延びる突出部３１１ａと、突出部３１１ａの後端部に設けられたケーブル引出端部３１５とを備えて構成されるプラグコネクタ３１０に、本考案の特徴構成である受容凹部３１４を形成した構成も可能である。このように、突出部３１１ａの後端部にケーブル引出端部３１５を設けることで、ボディ部３１１に対して斜め後方に情報伝達ケーブル３１６を引き出すことが可能となり、例えば真っ直ぐ後方に情報伝達ケーブル３１６を引き出すことが困難ではあるが、斜め後方に向けてであれば情報伝達ケーブル３１６を引き出すことが可能な機器内部においても、ＨＤＭＩ（登録商標）規格による接続が可能になる。
【００３３】
上述の実施形態においては、ケーブル付きコネクタ１を機器の内部に用いることで、機器の内部に搭載された装置同士をＨＤＭＩ（登録商標）規格に準じて電気的に接続する場合を例示して説明したが、ケーブル付きコネクタ１はこの場合以外にも、例えば別々の機器に接続されることでこれらの機器をＨＤＭＩ（登録商標）規格に準じて電気的に接続させることができる。
【符号の説明】
【００３４】
１０  プラグコネクタ（コネクタ）
１１  ボディ部
１２  把持用凹凸部
１３  把持用凹凸部
１４  受容凹部
１５  ケーブル引出端部
２０  嵌合部
２１  シールド部材
２２  ハウジング
２３  コンタクト
３０  レセプタクルコネクタ（相手方コネクタ）
３１  シールド部材（相手方シールド部材）
３１ａ  受容空間
３２  取付用縁部
４２  コンタクト（相手方コンタクト）
６０  取付パネル（取付対象部材）
７０  取付スクリュウ（取付部材）
７１  頭部（手前側突出部）
１１５  ケーブル引出端部
２１１ａ  切り欠き部
３１５  ケーブル引出端部
【図１】
0003169822.tif 000003
【図２】
0003169822.tif 000004
【図３】
0003169822.tif 000005
【図４】
0003169822.tif 000006